(57)【要約】【課題】出来る限り撮影画像に近いサイズで撮影間隔内に携帯端末に情報を送ることができる撮像装置を提供すること。【解決手段】一定間隔で静止画を連続撮影し保存する事が出来る撮影手段と、連続撮影された静止画像を記録媒体に記録する記録手段と、外部の無線通信できる携帯端末と接続できる接続手段と、所定の間隔内で通信できる情報量を算出する算出手段と、その算出手段により算出された設定値を用いて一定間隔で撮影された静止画像を送信する事が出来る送信手段と、送信する静止画像の情報量が、受信できる情報量よりも大きかった場合にリサイズを行うリサイズ手段を有することを特徴とする。【選択図】図１
2019009570.tif 000002
【特許請求の範囲】
【請求項１】
一定間隔で静止画を連続撮影し保存する事が出来る撮影手段と、連続撮影された静止画像を記録媒体に記録する記録手段と、外部の無線通信できる携帯端末と接続できる接続手段と、
所定の間隔内で通信できる情報量を算出する算出手段と、
その算出手段により算出された設定値を用いて一定間隔で撮影された静止画像を送信する事が出来る送信手段と、
送信する静止画像の情報量が、受信できる情報量よりも大きかった場合にリサイズを行うリサイズ手段を有することを特徴とする撮像装置。
【請求項２】
一定間隔で静止画を連続撮影し保存する事が出来る撮影手段と、
連続撮影された静止画像を動画像としてファイルにするファイル作成手段と、
前記ファイルを記録媒体に記録する記録手段と、
外部の無線通信できる携帯端末と接続できる接続手段と、
所定の間隔内で受信できる情報量を算出する算出手段と、
その設定値を保存する設定値保存手段と、
一定間隔で撮影された静止画像を送信することが出来る送信手段と、
送信する静止画像の情報量が、受信できる情報量よりも大きかった場合にリサイズを行うリサイズ手段を有することを特徴とする撮像装置。
【請求項３】
前記算出手段で算出する受信できる情報量は、接続された端末の通信状況を取得して算出することを特徴とする請求項１又は請求項２に記載の撮像装置。
【請求項４】
前記所定の間隔内で受信できる情報量は、撮影開始前に決定し、連続撮影中には変更されず、撮影間隔内に送信できなかった場合には、次の撮影に跨いで送信を行うことを特徴とする請求項１又は請求項２に記載の撮像装置。
【発明の詳細な説明】
【技術分野】
【０００１】
本発明は、撮像装置に関し、特に一定間隔で撮影を行いファイルを作成出来る撮像装置で、無線通信で外部の端末に通信しデータを送信できる撮像装置に関する端末との通信方法と、データの送信手段に関する。
【背景技術】
【０００２】
近年、デジタルカメラと携帯通信端末やパーソナルコンピュータ端末などの接続機器とを無線通信により接続する技術が知られており、接続機器では、デジタルカメラの遠隔操作を行うことが可能となっている。
【０００３】
遠隔操作で撮影を行う際に、無線通信により接続した通信相手先にあらかじめ設定されている撮影条件をカメラ側に設定して撮影を行う技術が提案されている（特許文献１）。
【０００４】
また、デジタルカメラの撮影方法も様々な撮影ができるようになっており、インターバル撮影・タイムラプス撮影に代表される静止画を一定間隔で撮影し静止画として保存する方法や、連続して撮影された静止画を動画として保存する撮影方法が知られている。その際、撮影時間が長くなる為、ネットワークを介して画像を転送し携帯通信端末の遠隔操作で撮影状況を知りたいという事がある。
【０００５】
そこで、接続機器で遠隔操作を行う際には、画像データもすぐに接続機器に転送し確認したいという要望のため、撮影後すぐに送信することや再生で選択した画像を送信して接続機器に表示する技術は多く知られており、通信手段により送信できるかどうかの撮影準備の段階で通信状況を確認し、一番通信しやすい受信信号レベルを判断して通信させる技術が提案されている（特許文献２）。
【先行技術文献】
【特許文献】
【０００６】
【特許文献１】特開２０１５−５８８９号公報
【特許文献２】特開２０１１−１２０１１３号公報
【発明の概要】
【発明が解決しようとする課題】
【０００７】
しかしながら、従来技術では、ペアリングした通信相手先に応じた設定内容を設定して撮影するため、撮像装置から相手先に通信される情報量は考慮されていないため、ペアリングした通信相手先に画像データを送信する際に撮影画像データが送信できる情報量とは限らないという問題があった。
【０００８】
そこで、本発明では、連続撮影を行う際に相手先の通信環境に応じて送信する画像サイズを変更し、出来る限り撮影画像に近いサイズで撮影間隔内に携帯端末に情報を送り、携帯端末内で撮影画像が確認できるようにすることができる撮像装置を提供することを目的とする。
【課題を解決するための手段】
【０００９】
上記の目的を達成するために、本発明に係る撮像装置は、
一定間隔で静止画を撮影し保存する事が出来る撮影手段と、その静止画を一つの動画として扱う事もできる撮影手段とその動画を記憶しておく記憶手段を持ち、画像表示が出来る携帯端末とカメラを低消費電力の無線通信において接続が行える通信手段と、一定間隔で撮影された静止画を撮影画像が送信できる送信手段を持つ。また、撮像装置は、撮影間隔と接続された接続機器との通信速度の関係を算出し、撮影間隔内で送信できる情報量を決定する決定手段を持ち、通信速度が撮影間隔内に撮影画像を送ることが出来ない判断された場合には、撮影画像をリサイズするリサイズ手段を持つことを特徴とする。
【発明の効果】
【００１０】
本発明によれば、一定間隔で静止画を撮影する際に、撮影画像を撮像装置内の表示部で表示すると電力を消費するだけでなく撮像装置のそばにいないといけない。そこで、撮影画像を省電力な無線通信で接続して、一定間隔に撮影される画像を撮影毎に無線通信できる携帯端末へ送る無線通信の速度を予め計算し、送信可能な撮影画像サイズに対応した情報量を返す。その画像サイズが、撮影しようとしている撮影画像よりも小さいと判断された場合には、出来るだけ撮影画像に近い画像になるように送信可能な画像サイズにリサイズした撮影画像作成して、撮影間隔内にリサイズした撮影画像を送信することで携帯端末での撮影中の画像確認を可能とする撮像システムを提供することができる。
【図面の簡単な説明】
【００１１】
【図１】本発明の概要構成ブロック図である。
【図２】本発明の実施時に通信された画像の表示図である。
【図３】撮影間隔と送信データサイズとの関係を示した図である。
【図４】送信する画像サイズの決定フローチャートである。
【図５】画像送信フローである。
【図６】送信中に撮影が割り込んだ場合のデータ送信フローチャートである。
【発明を実施するための形態】
【００１２】
以下に、本発明の好ましい実施の形態を、添付の図面に基づいて詳細に説明する。なお、本発明の技術的範囲は、特許請求の範囲によって確定されるのであって、以下の個別の実施形態によって限定されるわけではない。また、実施形態の中で説明されている特徴の組み合わせ全てが本発明に必須とは限らない。
【００１３】
＜実施例１＞
実施例１では、撮像装置と携帯端末を通信させてタイムラプス撮影時の撮影画像を送信する撮像システムの一例として、システムを説明する。
【００１４】
図１は、第一の実施形態に係る撮像装置１００と携帯端末１１３の概略構成を示すブロック図である。
【００１５】
撮像装置１００は、撮影した動画または静止画などのファイルをメモリカード１０５に記録できる。撮像素子１０１は、光電変化により入射光量に応じた電荷を生成して出力するＣＭＯＳセンサであり、全画素の信号を読み出す以外に、特定の画素の加算および特定の行または列において間引いて電荷を読み出すこともできる。撮像素子駆動回路１０２は、ＣＰＵ１１０による制御に基づいて、動画モードまたは静止画モードで撮像素子１０１を駆動することができる。画像処理回路１０３は、撮像素子１０１からの画像信号をＡ／Ｄ変換し、色情報の変換を行って所定の画像処理を施す。
【００１６】
画像メモリ１０４は、画像処理回路１０３からの動画または静止画の画像データを表示用および記録処理用に一時記憶するのに使用される。書き込み制御部１０６は、メモリカード１０５の接続状態の監視とメモリカード１０５へのアクセスを制御する。
【００１７】
通信部１０７は、撮像装置１００と外部装置との間で通信を行うもので、通信に必要な情報や、撮影された画像信号などのデータを送信する。例えば、タイムラプス撮影の場合、携帯端末１１３の通信状態を受信し、撮影された時点で画像処理回路１０３にて作成された画像を携帯端末１１３の通信部１１４へ送信する。
通信部１０７は、例えば、無線ＬＡＮ通信や（登録商標）ルートゥースモジュール等の無線通信モジュールである。
【００１８】
操作部１０８は、レリーズボタン、画像記録ボタン、撮影モードの切り替えなどの機能に対する切り替えボタンを有し、ユーザが種々カメラへの指示を行うために使用される。
【００１９】
表示部１０９は、液晶表示パネルからなり、記録時は撮像素子１０１によって撮像される画像を表示し、再生時には再生画像を表示する。表示部１０８は、画像表示のほかに設定メニューや記録時間・バッテリー残容量等のカメラ情報も表示する。
【００２０】
ＣＰＵ１１０は、中央演算処理装置であり、撮像装置１００の各部を制御する。
【００２１】
メモリ１１２は、ＣＰＵ１１０、ファイルシステム１１１の作業領域として使用する。
ファイルシステム１１１は、メモリカード１０５へのファイルの書き込みと読み出しに必要な情報を提供する。
【００２２】
携帯端末１１３は、情報表示する表示部１１６、カメラとの通信を行う通信部１１４、携帯端末の中央演算装置であり、携帯端末の各部を制御するＣＰＵ１１７を有し、メモリ１１８は、ＣＰＵ１１７および表示部１１６の作業領域として使用する。
【００２３】
撮像装置で撮像し生成された撮影画像は、通信部１０７を介して携帯端末に送られ、携帯端末の通信部１１４で受信する。通信部１１４は、無線ＬＡＮ通信やブルートゥースモジュール等の無線通信モジュールである。
【００２４】
操作部１１５は、携帯端末１１３の起動終了処理やユーザからの種々指示を携帯端末１１３に入力するために使用される。
【００２５】
表示部１１６は、液晶パネルからなり、通信部１１４で受信した画像データを表示する。例えば、図２の表示画面２０１のように、２０１〜２０３のように撮影されるたびに並べて表示を行っても、表示画面２０４〜２０６のように一枚画像を切り替えて表示してもよい。連続撮影を行う際には、撮影され携帯端末で表示したいデータができたら通信して表示する。
【００２６】
メモリ１１８は、ＣＰＵ１１７、表示部１１６の作業領域として使用される。
【００２７】
ここで、本実施例の画像サイズ選択動作について説明する。
【００２８】
ユーザが操作部１０８で、携帯端末１１３と撮像装置１００を無線接続メニューにより接続動作を行うと、ＣＰＵ１１０は接続信号を送受信して接続を完了するペアリング動作を行う。次に、操作部１０８の操作でタイムラプス動画の撮影画像サイズ・撮影間隔・撮影時間を設定して設定条件をメモリ１１２に保存し、操作部１０８の操作でユーザが撮影起動を行うと撮影モードで起動が行われると、ＣＰＵ１１０に撮影モードへの起動指示が行われ撮影待機状態となる。
【００２９】
ＣＰＵ１１０は無線通信の状況を受信し、予め設定してある撮影間隔と比較して撮影間隔内に送信できる画像サイズを算出する。予め設定してある撮影画像サイズと送信可能画像サイズとを比較して、送信可能画像サイズが撮影画像サイズよりも小さい場合には画像処理回路１０３を用いて画像のリサイズ処理を行うモードを起動させておく。
【００３０】
操作部１０８の操作で撮影ボタンを押され、撮影が開始されると撮像素子駆動回路１０２が動き出し撮像素子１０１より画像を読み出し、画像処理回路１０３にて画像が生成され画像メモリ１０４に一時保存される。
【００３１】
画像メモリ１０４にあるデータは、通信部１０７を介して携帯端末１１３の通信部１１４に送信する。この際、送信可能画像サイズが撮影画像サイズよりも小さい場合には、画像処理回路１０３のリサイズ処理を行って送信する。
【００３２】
携帯端末１１３では、通信部１１４を介して受信された画像データを表示部１１６に表示させる。この時の表示方法は、図２に表す通りに複数の画像を表示したり、一枚を表示したりを操作部１１５でユーザに操作させてＣＰＵ１１７で表示方法を制御し表示を行う。
【００３３】
一定間隔で撮影された画像を上記手順により、撮影回数分携帯端末に送信し撮影が終了すると送信も停止する。
【００３４】
また、連続撮影された静止画を繋げ動画にして書き込み制御部１０６を介してメモリカード１０５に送信し撮影データを保存する。
【００３５】
この一連の撮影動作において、撮影間隔と画像送信の関係について図３を、送信する画像サイズを決定する画像サイズ決定処理について図４を、送信処理について図５を、送信中に次の撮影が行われ締まった場合の処理について図６を用いて説明する。
【００３６】
図３は、撮像装置１００において操作部１１２で設定された撮影タイミング３０９と、設定された撮影画像サイズを送信するのに要する時間３０７、サムネイル画像を送信するのに要する時間３０８を示している。
【００３７】
パターン３０１の場合、撮影間隔の間に撮影画像サイズの送信時間が収まっているので、撮影画像がそのまま送信する事が出来る。しかし、パターン３０２の間隔になると、撮影画像の情報量を撮影間隔内に送ることが出来ない。そのため、パターン３０３で示すように送信する予め設定された間隔内に送信できる常用量より画像処理回路１０３を用いて画像のリサイズを行って、送信用画像の転送時間３１０に収まるようにリサイズされた撮影画像を送信することになる。
【００３８】
もっと撮影間隔が狭くなり、パターン３０４の撮影間隔になると、送信できる情報量はサムネイル画像の転送時間３０８ほどになるためサムネイル画像を送信することになる。
【００３９】
次に、図４は、画像の送信サイズを決定する処理のフローチャートを示している。
【００４０】
転送サイズ決定処理を開始すると、Ｓ４０１で撮影条件を取得して、Ｓ４０２で撮影間隔におくれる画像の情報量を算出する。Ｓ４０３にてこれから撮影を行う画像サイズ（撮影画像サイズ）を取得して、Ｓ４０４にて送れる情報量と撮影画像サイズを比較する。Ｓ４０５で撮影画像が送れるかを確認し遅れる場合は、Ｓ４０６で撮影画像サイズを転送サイズとして設定する。しかし、撮影画像サイズが送れないとなるとＳ４０７でサムネイルの画像サイズを取得し、Ｓ４０８でサムネイルの画像サイズと送れる情報量を比較して、Ｓ４０９でサムネイルサイズよりも大きいサイズが送れると判断されたら、Ｓ４１０で送れるサイズを転送画像サイズとして設定する。サムネイル画像よりも小さいサイズとして判断された場合には、Ｓ４１１でサムネイル画像を転送画像として、Ｓ４１２でメモリ１１２に設定を保存して判定処理を終了する。
【００４１】
次に、図５は、撮影時の転送処理のフローチャートを示している。
【００４２】
タイムラプス撮影が開始されたら、Ｓ５０１で転送画像サイズを取得する。Ｓ５０２で撮像素子１０１から画像を取得し、Ｓ５０３で画像処理回路１０３を用いて撮影画像とサムネイルを生成し、画像メモリ１０４に格納する。
【００４３】
図４で示した判定処理によって決まった転送サイズより、Ｓ５０４でサムネイル転送設定かどうかを判断し、サムネイル転送設定だったらＳ５０５でサムネイル画像を画像メモリ１０４から取得して、Ｓ５０６でサムネイル画像を、通信部１０７を介して携帯端末に送信する。
【００４４】
また、Ｓ５０４の判定でサムネイル画像ではないと判断された場合には、Ｓ５０７で画像メモリ１０４より撮影画像を取得する。Ｓ５０８において図４で示した判定処理によって決まった転送サイズより、リサイズが必要かどうかを判断し、リサイズが必要なかった場合にはＳ５０９で撮影画像をそのまま通信部１０７を介して携帯端末に送信する。リサイズが必要な場合には、Ｓ５１１で撮影画像を転送できるサイズにリサイズして、Ｓ５１２にリサイズした画像を、通信部１０７を介して携帯端末に通信する。Ｓ５１３で撮影継続かどうかを判断し連続で撮影が連続する場合は、Ｓ５０２に戻って通信処理を継続する。
【００４５】
以上説明したように、インターバル撮影・タイムラプス撮影中の静止画撮影された画像を携帯端末に出来るだけ綺麗な状態で転送し、且つ撮影間隔内に撮影画像を確認する事が可能となる。
【００４６】
＜実施例２＞
本発明では、インターバル撮影・タイムラプス撮影を行う前に撮像装置１００の撮影設定と携帯端末の通信できるサイズの関係から通信するサイズを決定する。しかし、パターン３０５に示すように、撮影中に転送速度等が変わって撮影間隔中に転送できず次の撮影タイミング３０９に跨ってしまう場合が生じる可能性がある。その場合、撮影中は撮影動作に回路が使われてしまうため、転送を一旦中断して残りの部分を３１１、３１２に示す通り分割して転送を行う必要がある。その場合について実施例２として、図６を参照して説明する。
【００４７】
実施例１で示したフローチャート（図４）で決定した転送サイズで撮影及び転送処理を行い、Ｓ６０１において、図５の処理に基づいて判断を行い、Ｓ５０６の処理に入った場合にはサムネイル画像を転送し、Ｓ５０９の処理に入った場合には、撮影画像を転送し、Ｓ５１１の処理に入った場合にはリサイズした画像を転送する。
【００４８】
転送中は、Ｓ６０２で次の静止画撮影が行われるか判断し、リサイズで使用している画像処理回路を撮影が使用するため、Ｓ６０３にて転送が完了しているかどうかを判断する。転送がまだ終わっていない場合には、Ｓ６０４で転送を中断してＳ６０５で撮影処理が終了したかどうかを判断し、撮影動作が終了した場合には、Ｓ６０６で転送処理を再開する。図３の３０６の３１０や３１１のように画像が途切れて送信され、送信途中の画像はメモリ１１８に保存される。
【００４９】
Ｓ６０７にて転送が完了したかどうかを判断し、転送が完了していない場合にはＳ６０２の処理に戻って静止画撮影が転送中に行われないかを確認しながら転送を行う。Ｓ６０７の判断で、転送が完了したとなったらＳ６０８にて転送完了処理を行い、メモリ１１８に保存していた画像を表示部１１６に表示して転送作業を終了する。
【００５０】
以上説明したように、通信状態が変化した場合にも、インターバル撮影・タイムラプス撮影中の静止画撮影された画像を携帯端末に出来るだけ綺麗な状態で転送し確認する事が可能となる。
【００５１】
実施例１・実施例２を用いて本発明の好ましい実施形態について説明したが、本発明はこれらの実施形態に限定されず、その要旨の範囲内で種々の変形及び変更が可能である。
【符号の説明】
【００５２】
１００  撮像装置、１０１  撮像素子、１０２  撮像素子駆動回路、
１０３  画像処理回路、１０５  メモリカード、１１０  ＣＰＵ
【図１】
2019009570.tif 000003
【図２】
2019009570.tif 000004
【図３】
2019009570.tif 000005
【図４】
2019009570.tif 000006
【図５】
2019009570.tif 000007
【図６】
2019009570.tif 000008